(57)【要約】【課題】椅子のみでも使用できる暖房具を簡素な構成で提供する。【解決手段】下肢用暖房具1は、発熱体を内包した布体11から構成され、使用者の足裏に接するべき第１加熱部2と、使用者の臀部に接すべき第２加熱部3と、両加熱部2、3を繋ぐ通気遮断部10を具える。通気遮断部10は発熱体が挿入されない、又は加熱部2、3に比して加熱効果が弱い空き領域13に形成されている。第２加熱部3は座布団状に形成されたクッション30を具える。【選択図】図３
2008133984.tif 000002
【特許請求の範囲】
【請求項１】
使用者の足裏に接するべき第１加熱部(２)と、使用者の臀部に接すべき第２加熱部(３)と、両加熱部(２)(３)を繋ぐ通気遮断部(10)を具え、
通気遮断部(10)は加熱部を有しない、又は加熱部(２)(３)に比して加熱効果が弱い空き領域(13)に形成され、
第２加熱部(３)は座布団状に形成されたクッション(30)を具えることを特徴とする下肢用暖房具。
【請求項２】
発熱体を内包した布体(11)から構成され、加熱部(２)(３)の発熱体は電熱線(12)である、請求項１に記載の下肢用暖房具。
【請求項３】
第１加熱部(２)に内包された電熱線(12)と、第２加熱部(３)に内包された電熱線(12)は、互いに独立して、通電が切り換えられる請求項２に記載の下肢用暖房具。
【請求項４】
第１加熱部(２)又は第２加熱部(３)の下面には、滑り止め部材(25)が設けられた、請求項１乃至３の何れかに記載の下肢用暖房具。
【請求項５】
第１加熱部(２)上には、使用者のつま先が挿入される足カバー(５)が設けられた、請求項１乃至４の何れかに記載の下肢用暖房具。
【請求項６】
第１加熱部(２)上には、使用者の脚部に被さる膝掛け(７)を着脱可能に取り付ける取付け具が設けられた、請求項１乃至５の何れかに記載の下肢用暖房具。
【請求項７】
少なくとも通気遮断部(10)は、伸縮可能な弾性材から形成され、又は弾性材が取り付けられ、通気遮断部(10)の余分な弛みを引き上げる、請求項１乃至６の何れかに記載の下肢用暖房具。
【発明の詳細な説明】
【技術分野】
【０００１】
本発明は、椅子に着座した使用者の下肢及び腰を暖める暖房具に関する。
【背景技術】
【０００２】
出願人は以前に、机と椅子とのセットで使用される暖房具を提案した(特許文献１参照)。
これは、図１４に示すように、机(８)と、該机(８)の足膝出入り口(81)に出入可能な椅子(６)とのセットで使用されるものであり、椅子(６)上に第１布体(９)を取り付け、足膝出入り口(81)の周縁部に、第１布体(９)に被さる毛布のような第２布体(80)を取り付けている。
図１５は、机(８)と椅子(６)を図１４のＡ−Ａ線を含む面にて破断し矢視方向に見た断面図であり、机(８)と椅子(６)の使用状態を示す。第１布体(９)は椅子(６)の座板(61)に取り付けられた座部(90)と、該座部(90)から床面にまで垂れ下がった通気遮断部(10)を具える。使用者は座部(90)上に着座し、第１布体(９)と第２布体(80)との間の空間(91)を足腰を挿入する。使用者の足元には、電熱器等の暖房器具(92)が置かれ、該暖房器具(92)による熱は、空間(91)内にこもる。通気遮断部(10)により、椅子(６)の外側から脚片(60)(60)間を通って足膝出入り口(81)に向かう通気Ｗは遮られる。このようにして、使用者の下肢が暖められる。
【０００３】
【特許文献１】特開平９−１３７９４７号公報
【発明の開示】
【発明が解決しようとする課題】
【０００４】
出願人は、図１５に示す従来の構成にて、以下の点を解決することを着想した。
１．従来の構成では、両布体(９)(80)の他に別途暖房器具(92)が必要であり、暖房器具(92)を用意する手間が要る。
２．臀部を暖めようとしても、座板(61)に暖房がないため、机(８)と椅子(６)が配備された部屋全体の室内温度を上げざるを得ない場合がある。
３．図１５に点線で示すように、一般に市販されている机(８)には足膝出入り口(81)を横切って、足置きを兼ねた補強桟(82)が設けられているが、該補強桟(82)の存在が邪魔になって、第２布体(80)を取り付けにくい場合がある。
４．机(８)のみを交換又は別途購入した場合に、該机(８)と椅子(６)の高さ等のサイズが合わない場合がある。これでは、両布体(９)(80)を有効に利用できない。
出願人は上記の点に鑑みて、特別な形状の第２布体(80)を必要とせず、椅子(６)のみでも使用できる暖房具を着想した。
本発明の目的は、使用者が所有している、又は市販されている椅子のみでも使用できる暖房具を簡素な構成で提供することにある。
【課題を解決するための手段】
【０００５】
下肢用暖房具(１)は、発熱体を内包した布体(11)から構成され、使用者の足裏に接するべき第１加熱部(２)と、使用者の臀部に接すべき第２加熱部(３)と、両加熱部(２)(３)を繋ぐ通気遮断部(10)を具える。通気遮断部(10)は加熱部を有しない、又は加熱部(２)(３)に比して加熱効果が弱い空き領域(13)に形成され、第２加熱部(３)は座布団状に形成されたクッション(30)を具える。
【発明の効果】
【０００６】
１．本発明の下肢用暖房具(１)は、椅子(６)に掛けた使用者の足裏と臀部を暖房するために、第１加熱部(２)を床面に置き、第２加熱部(３)を椅子(６)の座板(61)上に置く。椅子(６)に座った使用者の足元は、第１加熱部(２)によって暖められ、使用者の臀部は第２加熱部(３)によって暖まる。従って、従来のように、別途暖房器具(92)を設ける必要はない。更に、通気遮断部(10)は加熱部を有しない、又は加熱部(２)(３)に比して加熱効果が弱いから、布体(11)の全面に発熱体を配備した場合に比して、発熱体の長さを短くでき、消費電力及び製造コストも抑えられる。また、使用者の要望に応じて、簡素な構成で臀部と足元を暖めることができる。
２．本発明の下肢用暖房具(１)は、椅子(６)のみでも使用することができる。従って、従来のように椅子(６)を机(８)と組み合わせて使用する場合に、補強桟(82)の存在は邪魔にならず、布体(80)を取り付けにくい等の不都合はない。また、下記実施例で説明するが、冬季期間中の室内温度変化に於いても、簡単に対応可能で下肢用暖房具(１)を有効に使用することができる。また、折り畳み、取付けが簡単である。
【発明を実施するための最良の形態】
【０００７】
第１実施例
以下、本発明の一実施例を、図を用いて説明する。
図１は、本例の下肢用暖房具(１)を椅子(６)に掛けた状態の斜視図である。下肢用暖房具は使用者の足裏に接するべき第１加熱部(２)及び使用者の臀部に接すべき第２加熱部(３)と、毛布等の布体(11)から構成されて、両加熱部(２)(３)を繋ぐ通気遮断部(10)を具えている。布体(11)の一端部は、第１加熱部(２)を構成し、他端部は第２加熱部(３)を構成する。通気遮断部(10)によって、椅子(６)の脚片(60)(60)間から入る通気Ｗは遮断されて、使用者の足首の冷えは防がれる。
図２は、下肢用暖房具(１)の内部構成を示す平面図であって、外形を一点鎖線にて示す。
布体(11)内には、発熱体である電熱線(12)が挿入されており、該電熱線(12)は第１加熱部(２)と第２加熱部(３)では蛇行して密度を高めており、通気遮断部(10)内では直線状に横向きに延びている。従って、両加熱部(２)(３)は加熱効果が大きく、その一方、通気遮断部(10)は加熱効果が加熱部(２)(３)に比して弱い空き領域(13)に形成されている。
電熱線(12)は下肢用暖房具(１)の側縁部に設けられたソケット(40)から外向きに延び、コントロールユニット(４)を介して、プラグ(41)から給電される。
かかる構成により、使用者の足裏と臀部のみを効率的に暖めることができ、布体(11)の全面に電熱線(12)を蛇行状に配線した場合に比して、消費電力を抑えることができる。また、布体(11)の全面に電熱線(12)を配線した場合に比して、電熱線(12)の長さを短くでき、製造コストも抑えられる。出願人は、消費電力を５０ワット程度に想定しているが、この消費電力に限定されない。
【０００８】
図３は、図２に示す下肢用暖房具(１)をＢ−Ｂ線を含む面にて破断し矢視方向に見た断面図である。第１加熱部(２)は、布体(11)の一端部の上下面にカーペット等の敷物(20)を被せて構成される。第２加熱部(３)は座布団状であって、布体(11)の他端部両面にクッション(30)(30)を取り付けて構成される。クッション(30)は、中綿(31)を布製のカバー(32)にて覆った周知の構成である。尚、ヒーター線の熱効果を高めるため、厚手でなく、薄手のクッション(30)がよい。また、第２加熱部(３)の下面、即ち椅子の座面に接する面には、椅子(６)の座板(61)に密接するゴム片、ゴム性編物、吸盤等の滑り止め部材(25)が取り付けられている。尚、滑り止め部材(25)は第１加熱部(２)の下面にも設けられることは好ましい。
本例の下肢用暖房具(１)は、布体(11)の一端部に敷物(20)を、他端部にクッション(30)を取り付けた構成であるから、折り畳み可能で、収納が簡単である。下肢用暖房具(１)にて使用者の下肢を重点的に暖めることができるから、室内温度は必要以上に上げることなく、勉強等に於いては所謂頭寒足熱の効果が得られる。
また、第１加熱部(２)又は第２加熱部(３)の両方に、滑り止め部材(25)が取り付けられている場合、下肢用暖房具(１)は座板(61)或いは床面の取付け位置からずれない。特に、第１加熱部(２)が自由に移動できると、下肢用暖房具(１)を引っ張った際に、椅子(６)の脚片(60)にて第１加熱部(２)を踏む虞れがあるが、滑り止め部材(25)にて床面に第１加熱部(２)を固定することにより、この虞れは少なくなる。
更に、第１加熱部(２)は敷物(20)にて覆われ、第２加熱部(３)はクッション(30)を具えているから、足元の感触及び座り心地がよく、保温性もよい。図１では、下肢用暖房具(１)を椅子(６)に掛けて使用する例を開示したが、下肢用暖房具(１)をロッキングチェア、キャスター付き等のどのような構造の椅子式の物であっても、有効に使用できる。
【０００９】
第２実施例
図４は、下肢用暖房具(１)の別の実施例を示す正面図である。使用者の足全体には、膝掛け(７)が掛けられており、説明の便宜上、膝掛け(７)を破断し示す。両加熱部(２)(３)の熱は、膝掛け(７)と下肢用暖房具(１)に囲まれる空間Ｋ内にこもり、下肢部の暖かさが維持される。勿論、膝掛け(７)を設けずに、下肢用暖房具(１)のみを使用してもよい。また、膝掛け(７)は下肢用暖房具(１)に合わせた特別な構成ではなく、市販品でよい。また、一般毛布でもよい。
図５は、第１加熱部(２)の平面図であり、図６は、図５をＣ−Ｃ線を含む面にて破断し矢視方向に見た断面図である。第１加熱部(２)は電熱線(12)を内包した布体(11)の一端部を、合成樹脂等から形成された箱状のパネル(21)に挿入して構成され、該パネル(21)上に使用者のつま先が挿入される足カバー(５)がビス(50)によって取り付けられている。足カバー(５)はパネル(21)にビス(50)止めされて着脱自在となっており、足カバー(５)を使用しない場合は、取り外しておく。ビス(50)に代えて、ホック(図示せず)を使用してもよい。
図５に示すように、パネル(21)の先端部には、膝掛け(７)の端部を挟むクリップ(70)が設けられている。クリップ(70)は図７に示すように、パネル(21)に取り付けてバネ(図示せず)付勢された挟み板(71)を有する周知の構成であり、該挟み板(71)で膝掛け(７)の端部を挟む。クリップ(70)に代えてホック(図示せず)にて膝掛け(７)の端部を挟んでもよい。
本例にあっては、足カバー(５)を設けていることにより、使用者のつま先の出入りがし易く、且つ暖かく保持できる。また、クリップ(70)にて膝掛け(７)を挟むことにより、膝掛け(７)の先端がまくれ上がり、外の冷気が膝掛け(７)内に流入することを防ぐ。
尚、図４では、第２加熱部(３)は使用者の臀部を加熱する大きさに形成されているが、第２加熱部(３)を椅子(６)の背もたれ板(62)まで延長して(図示せず)、使用者の背中に接してもよい。
【００１０】
第３実施例
図８は、第１加熱部(２)の他の実施例を示す断面図である。第１加熱部(２)は電熱線(12)を内包した布体(11)の一端部を、金属又は合成樹脂から形成されるパネル板(22)に載置し、該布体(11)にクッション(30)を載置して構成される。パネル板(22)の下面には、吸盤等の滑り止め部材(25)が取り付けられている。クッション(30)により足元に柔らかな感触が得られる。また、滑り止め部材(25)により、第１加熱部(２)は床面の取付け位置からずれない。
【００１１】
第４実施例
前記の実施例にあっては、通気遮断部(10)は毛布等の一般的な布体(11)であるから、椅子(６)から垂れ下がっている。従って、図９に示すように、椅子(６)に下肢用暖房具(１)を掛けた状態で、使用者が椅子(６)を第１加熱部(２)に向けて前進させると(矢印Ｇ方向)、椅子(６)の脚片(60)が通気遮断部(10)を踏む場合がある。これでは、通気遮断部(10)を損傷したり、椅子(６)を後退させる際の障害となる。
この点に鑑みて、図１０に示すように、通気遮断部(10)を伸縮可能な布体(11)にて形成し、下肢用暖房具(１)が椅子(６)に掛けられた状態で、通気遮断部(10)を緊張状態に保つ。これにより、通気遮断部(10)が椅子(６)の脚片(60)に踏まれる虞れを防止することができる。
尚、これに代えて、図１１に示すように、通気遮断部(10)の裏側にゴム片等の伸縮可能な弾性材(14)を取り付けても、同様の効果が得られる。即ち、通気遮断部(10)の弛みを吊り上げる。
【００１２】
第５実施例
図２に示すように、上記例では、第１加熱部(２)と第２加熱部(３)内の電熱線(12)は繋がっており、両加熱部(２)(３)は一緒に加熱と非加熱を切り換えられる。
これに代えて、図１２に示すように、第１加熱部(２)と第２加熱部(３)内の電熱線(12)を互いに独立して設け、両加熱部(２)(３)を１つのコントロールユニット(４)にて別個に加熱と非加熱を切り換え、又は温度調節してもよい。両加熱部(２)(３)を別個に調節することにより、例えば、第１又は第２加熱部(２)(３)の一方のみを加熱することも可能であり、下肢用暖房具(１)の消費電力を抑えることができる。
更に、図１３に示すように、両加熱部(２)(３)に夫々ソケット(40)を設けて、加熱部(２)(３)にのみ電熱線(12)を挿入して、通気遮断部(10)内に電熱線(12)を挿入しなくともよい。即ち、空き領域(13)には電熱線(12)は配備されない。これにより、電熱線(12)の長さを短くできるだけでなく、通気遮断部(10)を両加熱部(２)(３)に対し着脱可能とすることができる。即ち、冬季期間中の室内温度変化に於いて、第１、第２加熱部(２)(３)の切り換え、温度調整、膝掛けの必要・不必要等、温度差に対応可能である。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記例では、両加熱部(２)(３)の発熱体として、電熱線(12)を使用したが、これに代えて、フィルムに抵抗線を印刷したもの(図示せず)でもよい。
また、布体(11)にヒーター線を内包せず、上面又は下面にヒーター線を接着して、薄手のクッション材である人工羊毛、綿入り布体等のカバーを装着してもよい。また、第１、第２加熱部(２)(３)、通気遮断部(10)は布体(11)を共通素材とせず、夫々独立した基材を用いてもよいのは勿論である。
【図面の簡単な説明】
【００１４】
【図１】下肢用暖房具を椅子に掛けた状態の斜視図である。
【図２】下肢用暖房具の内部構成を示す平面図であって、外形を一点鎖線にて示す。
【図３】図２に示す下肢用暖房具をＢ−Ｂ線を含む面にて破断し矢視方向に見た断面図である。
【図４】下肢用暖房具の別の実施例を示す正面図である。
【図５】第１加熱部の平面図である。
【図６】図５をＣ−Ｃ線を含む面にて破断し矢視方向に見た断面図である。
【図７】クリップの構成を示す図である。
【図８】第１加熱部の他の実施例を示す断面図である。
【図９】椅子の脚片が通気遮断部を踏んだ状態を示す説明図である。
【図１０】下肢用暖房具の別の実施例を示す正面図である。
【図１１】下肢用暖房具の別の実施例を示す正面図である。
【図１２】下肢用暖房具の別の実施例を示す平面図である。
【図１３】下肢用暖房具の別の実施例を示す平面図である。
【図１４】従来の机と椅子とのセットで使用される暖房具の斜視図である。
【図１５】机と椅子を図１４のＡ−Ａ線を含む面にて破断し矢視した断面図である。
【符号の説明】
【００１５】
(１)  下肢用暖房具
(２)  第１加熱部
(３)  第２加熱部
(５)  足カバー
(７)  膝掛け
(10)  通気遮断部
(12)  電熱線
(13)  空き領域
(25)  滑り止め部材
【図１】
2008133984.tif 000003
【図２】
2008133984.tif 000004
【図３】
2008133984.tif 000005
【図４】
2008133984.tif 000006
【図５】
2008133984.tif 000007
【図６】
2008133984.tif 000008
【図７】
2008133984.tif 000009
【図８】
2008133984.tif 000010
【図９】
2008133984.tif 000011
【図１０】
2008133984.tif 000012
【図１１】
2008133984.tif 000013
【図１２】
2008133984.tif 000014
【図１３】
2008133984.tif 000015
【図１４】
2008133984.tif 000016
【図１５】
2008133984.tif 000017